(57)【特許請求の範囲】
【請求項１】
電子機器本体の筐体内に複数個のユニットを並列に実装可能な電子機器において、
フロントパネルの一方の側面にシールド部材を有する第１のユニットと、
フロントパネルの両方の側面にシールド部材を有する第２のユニットと
を備え、前記第２のユニットは、前記筐体内の一番端にのみ実装されることを特徴とする電子機器。
【請求項２】
第１のユニットと第２のユニットとは、ユニットの配列方向の幅が異なることを特徴とする請求項１記載の電子機器。
【請求項３】
第２のユニットは、一方の側面のシールド部材が、隣り合う前記第１のユニットの他方の側面に接触し、他方の側面のシールド部材が、筐体に接触することを特徴とする請求項１または２記載の電子機器。
【請求項４】
シールド部材は、導電性を有し、隣り合う前記ユニットまたは前記筐体とを電気的に接続することを特徴とする請求項１〜３のいずれかに記載の電子機器。
【発明の詳細な説明】
【技術分野】
【０００１】
本発明は、電子機器本体の筐体内に複数個のユニットを並列に実装可能な電子機器に関し、詳しくは、電子機器本体の筐体とユニットのフロントパネルまたは隣り合うユニットのフロントパネル同士を接触させるシールド部材の交換を容易に行なうことができる電子機器に関するものである。
【背景技術】
【０００２】
電子機器（例えば、測定器、パソコン等）では、用途や機能に応じたユニットが多数用意され、必要なユニットを電子機器本体内に挿入して使用する（例えば、特許文献１、特許文献２参照）。このようなユニットは、電子回路が実装されたプリント基板のみの場合もあれば、プリント基板を保護するカバーが取り付けられる場合もある。また、プリント基板のコネクタと電子機器本体側のコネクタを電気的に接続させるため、プリント基板を電子機器本体の所定の位置に挿入させる必要があり、電子機器本体側にはプリント基板用のガイドレールも設けられる。
【０００３】
図３は、従来の電子機器の構成を示した斜視図である。図４は、電子機器の要部断面図であり、図４（ａ）は、ユニットを取り付け中の図であり、図４（ｂ）はユニット取り付け後の図である。
【０００４】
図３、図４において、ユニット１０は、フロントパネル１１、シールド部材１２、プリント基板１３、カバー１４を有し、電子機器本体の筐体２０内への取り付け、取り外しが行なわれる。
【０００５】
電子機器本体である筐体２０は、筐体の１面（例えば、側面２１）に開口部２２が設けられ、この開口部２２からユニット１０が挿入される。シールド部材２３は、導電性をもつ弾性体であり、開口部２２の上端の横方向（図３中、Ｘ軸方向）に沿って設けられる。
【０００６】
ガイドレール２４は、断面形状が概略コの字であり、開口部２２から筐体２０の奥行き方向（図３中、Ｙ軸方向）に設けられる。なお、図３では、３個のユニット１０が挿入できるように垂直方向（図３中、Ｚ軸方向）に３段のガイドレール２４が設けられる。
【０００７】
フロントパネル１１は、筐体２０に取り付けられた場合、フロントパネル１１と筐体の側面２１とは同一面となり（図４（ｂ）参照）、開口部２２の側面２１の一部を兼ねる。
【０００８】
シールド部材１２は、筐体２０のシールド部材２３と同様に導電性をもつ弾性体であり、フロントパネル１１の下側の側面の横方向（Ｘ軸方向）に沿って設けられる。プリント基板１３は、電子部品が実装される。カバー１４は、防塵、電気的なシールドのためのものであり、基板１３の端部分を残して上面、下面を覆う。
【０００９】
なお、説明を簡単にするため、筐体２０への取り付け時のユニット１０の配列方向をＺ軸とし、ユニット１０が筐体２０に挿入される方向をＹ軸とし、フロントパネル１１の長手方向をＸ軸としている。すなわち、筐体２０の側面２１がＸ−Ｚ面であり、プリント基板１３の平面がＸ−Ｙ面である。
【００１０】
このような筐体２０へのユニット１０の取り付け動作を説明する。
ユーザは、ユニット１０のフロントパネル１１を持ち、ガイドレール２４にプリント基板１３を合わせ、このガイドレール２４に沿ってユニット１０全体を筐体２０の奥に入れていく。そして、プリント基板１３後部に取り付けられたコネクタ（図示せず）が、電子機器の筐体２０の奥のコネクタ（図示せず）と電気的に接続される。コネクタ同士が接続されると、フロントパネル１１と筐体２０の側面２１とが同一面になる。また、隣り合うフロントパネル１１間の隙間や筐体２０とフロントパネル１１間の隙間は、シールド部材１２、２３によって埋められ、筐体２０、フロントパネル１１それぞれが電気的に接続され、電気的なシールドボックス、防塵されたシールドボックス等になる。
【００１１】
【特許文献１】特開２００２−０７６６５６号公報
【特許文献２】特開２００２−１４１６８４号公報
【発明の開示】
【発明が解決しようとする課題】
【００１２】
このように、筐体２０のシールド部材２３が最上段のユニット１０のパネル１１の上側面と接触し、最上段、２段目のパネル１１の下側面のシールド部材１２が、一段下のパネル１１の上側面と接触する。そして、最下段のパネル１１の下側面のシールド部材１２が、筐体２０に接触する。
【００１３】
ユニット１０は、用途、機能、性能ごとに多数の種類が用意され、使用目的に合わせて所望のユニット１０と取り替える。そして、取り替えごとにシールド部材１２、２３がフロントパネル１１と接触し、破損やへたりが生ずる。
【００１４】
しかしながら、ユニット１０のシールド部材１２が破損等した場合、ユニット１０は筐体２０から着脱可能でありシールド部材１２の交換は容易である。一方、筐体２０側のシールド部材２３は筐体２０そのものに固定されているため、シールド部材２３を交換するためには筐体２０を分解する必要があり、交換作業が困難であり、時間とコストがかかるという問題があった。
【００１５】
そこで本発明の目的は、電子機器本体の筐体とユニットのフロントパネルとを接触させるシールド部材の交換を容易に行なうことができる電子機器を実現することにある。
【課題を解決するための手段】
【００１６】
請求項１記載の発明は、
電子機器本体の筐体内に複数個のユニットを並列に実装可能な電子機器において、
フロントパネルの一方の側面にシールド部材を有する第１のユニットと、
フロントパネルの両方の側面にシールド部材を有する第２のユニットと
を備え、前記第２のユニットは、前記筐体内の一番端にのみ実装されることを特徴とするものである。
請求項２記載の発明は、請求項１記載の発明において、
第１のユニットと第２のユニットとは、ユニットの配列方向の幅が異なることを特徴とするものである。
請求項３記載の発明は、請求項１または２記載の発明において、
第２のユニットは、一方の側面のシールド部材が、隣り合う前記第１のユニットの他方の側面に接触し、他方の側面のシールド部材が、筐体に接触することを特徴とするものである。
請求項４記載の発明は、請求項１〜３のいずれかに記載の発明において、
シールド部材は、導電性を有し、隣り合う前記ユニットまたは前記筐体とを電気的に接続することを特徴とするものである。
【発明の効果】
【００１７】
本発明によれば以下の効果がある。
電子機器本体の筐体内の所望の位置に自由に実装できる第１のユニットは、フロントパネルの一方の側面にシールド部材が取り付けられる。そして、筐体内の所定の位置にのみ実装可能な第２のユニットは、フロントパネルの両方の側面にシールド部材が取り付けられる。これにより、電子機器本体の筐体にシールド部材を設けることなく、筐体、第１、第２のユニットのフロントパネルそれぞれの隙間を埋められ電気的な接続や防塵をすることができる。従って、電子機器本体の筐体とユニットのフロントパネルとを接触させるシールド部材に破損、へたりが生じてもシールド部材の交換を容易に行なうことができる。
【発明を実施するための最良の形態】
【００１８】
以下図面を用いて本発明の実施の形態を説明する。
図１、図２は、本発明の一実施例を示した構成図（斜視図）である。図２は、電子機器の要部断面図であり、図２（ａ）は、ユニットを取り付け中の図であり、図２（ｂ）はユニット取り付け後の図である。ここで、図３、図４と同一のものには同一符号を付し、説明を省略する。
【００１９】
図１、図２において、最上段のユニット１０の代わりにユニット３０が設けられる。２段目、３段目は図３と同様のユニット１０である。なお、図１、図２では、筐体２０の開口部２２にユニット１０、３０を取り付けた場合、上から順に最上段、２段目、３段目としている。
【００２０】
ユニット３０は、フロントパネル３１、シールド部材３２ａ、３２ｂ、プリント基板３３、カバー３４を有し、電子機器本体である筐体２０の開口部２２の最上段に実装される。ユニット３０は、ユニット１０よりも配列方向（筐体２０に並列に実装されるユニット１０、３０の配列方向であり、図１中でＺ軸方向）の幅が大きく、フロントパネル３１もユニット１０のパネル１１よりも幅が大きい。なお、Ｘ軸方向の幅は同じである。例えば、パネル１１のＺ軸方向の幅をΔｚ１、パネル３１のＺ軸方向の幅をΔｚ２とすれば、Δｚ１＜Δｚ２である。
【００２１】
ユニット１０、３０が筐体２０に取り付けられた場合、ユニット３０のフロントパネル３１、ユニット１０のパネル１１、筐体２０の側面２１それぞれは同一面となり（図２（ｂ）参照）、開口部２２の側面２１の一部を兼ねる。
【００２２】
シールド部材３２ａ、３２ｂは、ユニット１０のシールド部材１２と同様に導電性をもつ弾性体である。例えば、金属の半月状の板バネ、金属のメッシュガスケット、ウレタンスポンジやシリコンゴム等に導電布をまきつけたもの、ゴムに金属粉をいれたもの等である。シールド部材３２ａは、フロントパネル３１の上側の側面の横方向（Ｘ軸方向）に沿って設けられ、シールド部材３２ｂは、フロントパネル３１の下側の側面の横方向（Ｘ軸方向）に沿って設けられる。つまり、フロントパネル３１は、上下両方の側面それぞれにシールド部材３２ａ、３２ｂが設けられる。
【００２３】
プリント基板３３は、電子部品が実装される。カバー３４は、防塵、電気的なシールドのためのものであり、基板３３の端部分を残して上面、下面を覆う。
【００２４】
電子機器本体である筐体２０の開口部２２の上面のシールド部材２３は取り外される。また、筐体２０の開口部２２の最上段には、パネル３０のみが実装可能であり、２段目、３段目にはユニット１０のみが実装可能となるようにガイドレール２４が取り付けられる。
【００２５】
なお、汎用（例えば、規格化された形状）のユニット１０は、特許請求の範囲の第１のユニットに該当し、異形のユニット３０は、特許請求の範囲の第２のユニットに該当する。
【００２６】
このような筐体２０へのユニット１０、３０の取り付け動作を説明する。
ユーザは、ユニット３０のフロントパネル３１を持ち、最上段のガイドレール２４にプリント基板３３を合わせ、このガイドレール２４に沿ってユニット３０全体を筐体２０の奥に入れていく。また、ユーザは、ユニット１０のフロントパネル１１を持ち、２段目または３段目のガイドレール２４にプリント基板１３を合わせ、このガイドレール２４に沿ってユニット１０全体を筐体２０の奥に入れていく。
【００２７】
そして、プリント基板１３、３３後部に取り付けられたコネクタ（図示せず）が、電子機器の筐体２０の奥のコネクタ（図示せず）と電気的に接続される。コネクタ同士が接続されると、フロントパネル１１、３１と筐体２０の側面２１とが同一面になる。また、隣り合うフロントパネル１１、３１間の隙間や筐体２０とフロントパネル１１、３１間の隙間は、シールド部材１２、３２ａ、３２ｂによって埋められ、筐体２０、フロントパネル１１、３１それぞれが電気的に接続され、電気的なシールドボックス、防塵されたシールドボックス等になる。
【００２８】
具体的には、最上段に実装されるユニット３０のパネル３１の上側面のシールド部材３２ａが、筐体２０の開口部２２の上面と接触し、パネル３１の下側面のシールド部材３２ｂが、２段目のユニット１０のパネル１１の上側面と接触する。そして、２段目のパネル１１の下側面のシールド部材１２が、一段下側（３段目）のパネル１１の上側面と接触する。そして、最下段（３段目）のパネル１１の下側面のシールド部材１２が、筐体２０の開口部２２の下面と接触する。
【００２９】
このように、筐体２０の２段目または３段目に自由に実装できる汎用的なユニット１０は、フロントパネル１１の下側面にシールド部材１２が取り付けられ、筐体２０の最上段にのみ実装可能な異形のユニット３０は、フロントパネル３１の両方の側面にシールド部材３２ａ、３２ｂが取り付けられる。これにより、電子機器本体の筐体２０にシールド部材を設けることなく、筐体２０、フロントパネル１１、３１を電気的な接続や防塵をすることができる。従って、電子機器本体の筐体２０とユニット１０、３０のフロントパネル１１、３１とを接触させるシールド部材１２、３２ａ、３２ｂに破損、へたりが生じてもシールド部材１２、３２ａ、３２ｂの交換を容易に行なうことができる。
【００３０】
また、汎用のユニット１０の両方の側面にシールド部材１２を取り付けた場合、シールド部材１２同士が接触し、電気的な接続があまくなる。
【００３１】
なお、本発明はこれに限定されるものではなく、以下に示すようなものでもよい。
電子機器の筐体２０にユニット３０を１個、ユニット１０を２個設ける構成を示したが、ユニット１０は２段目以降であれば何個取り付けられるようにしてもよい。
【００３２】
また、筐体２０の側面２１に開口部２２を設け、ユニット１０、３０を取り付ける構成を示したが、開口部２２は、筐体２０の前面でも裏面でもよい。
【００３３】
また、筐体２０の開口部２２に、ユニット１０、３０を水平に取り付ける構成を示したが、ユニット１０、３０を垂直方向に立てた状態で取り付けてもよい。
【００３４】
そして、異形のユニット３０を筐体２０の開口部２２の最上段にのみ実装する構成を示したが、最下段にのみ実装できるようにし、汎用のユニット１０を最下段以外に実装できるようにしてもよい。この場合、ユニット１０のシールド部材１２は、フロントパネル１１の上側面に設けるようにするとよい。
【図面の簡単な説明】
【００３５】
【図１】本発明の第１の実施例を示した構成図（斜視図）である。
【図２】図１に示す装置の断面図を示した図である。
【図３】従来の電子機器の構成を示した斜視図である。
【図４】図３に示す装置の断面図を示した図である。
【符号の説明】
【００３６】
１０  第１のユニット
１１、３１  フロントパネル
１２、３２ａ、３２ｂ  シールド部材
２０  電子機器本体の筐体
３０  第２のユニット
【図１】
0004894071.tif 000002
【図２】
0004894071.tif 000003
【図３】
0004894071.tif 000004
【図４】
0004894071.tif 000005